(57)【特許請求の範囲】
【請求項１】
収容空間を有するケーシングと、
前記ケーシングに接続された第１の振動システムと、
前記ケーシングに接続された第２の振動システムとを含むロングストローク型スピーカであって、
前記収容空間は、互いに連通する第１の音響キャビティ及び第２の音響キャビティを含み、
前記第１の音響キャビティ及び前記第２の音響キャビティのうちの少なくとも１つに、磁気回路システムが内蔵されており、
前記第１の振動システムは、第１の振動方向を有し、
前記第２の振動システムは、第２の振動方向を有し、且つ、
前記第１の振動方向は、前記第２の振動方向と交差し、
前記ケーシングは、
第１の側壁と、
前記第１の側壁に対向して設置された第２の側壁と、
前記第１の側壁及び第２の側壁に接続された複数の第３の側壁とを有し、
前記第１の側壁、前記第２の側壁、及び前記第３の側壁は、共に取り囲んで前記収容空間を形成し、
前記第３の側壁には、前記第１の振動システムを収容するための第１の収容部が設けられ、
前記第１の側壁又は前記第２の側壁には、前記第２の振動システムを収容するための第２の収容部が設けられており、
前記磁気回路システムは、前記第１の音響キャビティ内に設けられており、
前記磁気回路システムは、それぞれ前記第１の側壁と第２の側壁に接続された一対の磁性鋼モジュールを含み、
前記第１の振動システムは、
第１の振動板と、
一対の前記磁性鋼モジュールの間に設けられたコイルと、
前記第１の振動板及び前記コイルを支持するためのホルダとを含み、
前記ホルダは、
前記第１の収容部内に収容されているとともに、
前記第３の側壁に接続された第１の支持部と、
前記第１の支持部から前記第１の振動方向に沿って延伸する第２の支持部と、
前記第２の支持部に接続された仕切り部とを含み、
前記第１の振動板は、前記第１の支持部に接続され、
前記コイルは前記第２の支持部に設けられ、
前記仕切り部の両端は、それぞれ前記第１の側壁と第２の側壁に接続されており、これにより、前記収容空間を、互いに連通する前記第１の音響キャビティと前記第２の音響キャビティに仕切る
ことを特徴とする記載のロングストローク型スピーカ。
【請求項２】
前記第３の側壁は、前記第１の側壁及び第２の側壁に垂直に接続され、
前記第１の振動方向は、前記第２の振動方向と垂直に交差する
ことを特徴とする請求項１に記載のロングストローク型スピーカ。
【請求項３】
前記磁性鋼モジュールは、
ポールプレートと、
前記ポールプレートに接続された磁性鋼とを含み、
前記第１の側壁及び前記第２の側壁に前記ポールプレートを収容するための貫通孔が開設されている
ことを特徴とする請求項１に記載のロングストローク型スピーカ。
【請求項４】
前記磁気回路システムは前記第２の音響キャビティ内に設けられ、
前記磁気回路システムは、
前記第２の側壁に固定された磁性鋼と、
前記磁性鋼に接続されたポールコアとを含み、
前記第２の収容部は前記第１の側壁に設けられ、
前記第２の振動システムは、
前記第２の収容部内に収容された第２の振動板と、
前記第２の振動板に接続されたボイスコイルとを含む
ことを特徴とする請求項１に記載のロングストローク型スピーカ。
【請求項５】
前記第２の側壁は、少なくとも一部が導磁材料からなり、
前記磁性鋼は、前記導磁材料からなる前記第２の側壁に接続されている
ことを特徴とする請求項４に記載のロングストローク型スピーカ。
【発明の詳細な説明】
【技術分野】
【０００１】
本発明は、音響デバイス分野に関し、特にロングストローク型スピーカに関する。
【背景技術】
【０００２】
近年、技術の進化、特にモバイル通信技術の急速な進化に伴い、ますます多くのモバイル通信デバイス、例えば、スマートフォン、タブレットＰＣ、ノートパソコン、マルチメディアプレーヤー等は人々の日常生活に現れており、すでに人々に欠かせない生活用品になっている。これらのモバイル通信デバイスのうち、音声再生装置は、その内部で必要不可欠な部材であり、その音声の品質の高さは、直接にこれらのモバイル電子デバイスを使用するときのユーザ体験に影響を及ぼす。
【発明の概要】
【発明が解決しようとする課題】
【０００３】
ロングストローク型スピーカは、音声再生装置として、その構成の設計は直接に音声再生の品質に影響する。従来技術におけるロングストローク型スピーカは、単一方向にしか発音できないので、性能の要求を満たすために一定の体積のキャビティを有する必要がある。
【０００４】
ロングストローク型スピーカを利用するときに、同時に他の方向に発音する必要がある場合、別途にもう１つの通常のスピーカを実装する必要があり、また、一定の体積のバックキャビティが必要となるため、占有空間は大きく、コストを増やす。
【０００５】
上記技術課題を解決するために、本発明は、空間を節約し、コストを減縮する、双方向に発音するロングストローク型スピーカを提供する。
【課題を解決するための手段】
【０００６】
本発明が提供するロングストローク型スピーカは、
収容空間を有するケーシングと、前記ケーシングに接続された第１の振動システムと、前記ケーシングに接続された第２の振動システムとを含み、
前記収容空間は、互いに連通する第１の音響キャビティ及び第２の音響キャビティを含み、
前記第１の音響キャビティ及び前記第２の音響キャビティのうちの少なくとも１つに、磁気回路システムが内蔵されており、
前記第１の振動システムは、第１の振動方向を有し、
前記第２の振動システムは、第２の振動方向を有し、且つ、
前記第１の振動方向は、前記第２の振動方向と交差する。
【０００７】
本発明が提供するロングストローク型スピーカに係る１つの好ましい実施形態において、前記ケーシングは、第１の側壁と、前記第１の側壁に対向して設置された第２の側壁と、前記第１の側壁及び第２の側壁に接続された複数の第３の側壁とを有し、前記第１の側壁、前記第２の側壁、及び前記第３の側壁は、共に取り囲んで前記収容空間を形成し、
前記第３の側壁には、前記第１の振動システムを収容するための第１の収容部が設けられ、
前記第１の側壁又は前記第２の側壁には、前記第２の振動システムを収容するための第２の収容部が設けられている。
【０００８】
本発明が提供するロングストローク型スピーカに係る１つの好ましい実施形態において、前記第３の側壁は、前記第１の側壁及び第２の側壁に垂直に接続され、前記第１の振動方向は、前記第２の振動方向と垂直に交差する。
【０００９】
本発明が提供するロングストローク型スピーカに係る１つの好ましい実施形態において、前記磁気回路システムは、前記第１の音響キャビティ内に設けられており、前記磁気回路システムは、それぞれ前記第１の側壁と第２の側壁に接続された一対の磁性鋼モジュールを含み、前記第１の振動システムは、第１の振動板と、一対の前記磁性鋼モジュールの間に設けられたコイルと、前記第１の振動板及び前記コイルを支持するためのホルダとを含む。
【００１０】
本発明が提供するロングストローク型スピーカに係る１つの好ましい実施形態において、前記ホルダは、前記第１の収容部内に収容されているとともに、前記第３の側壁に接続された第１の支持部と、前記第１の支持部から前記第１の振動方向に沿って延伸する第２の支持部と、前記第２の支持部に接続された仕切り部とを含み、前記第１の振動板は、前記第１の支持部に接続され、前記コイルは前記第２の支持部に設けられ、前記仕切り部の両端は、それぞれ前記第１の側壁と第２の側壁に接続されており、これにより、前記収容空間を、互いに連通する前記第１の音響キャビティと前記第２の音響キャビティに仕切る。
【００１１】
本発明が提供するロングストローク型スピーカに係る１つの好ましい実施形態において、前記磁性鋼モジュールは、ポールプレートと、前記ポールプレートに接続された磁性鋼とを含み、前記第１の側壁及び前記第２の側壁に前記ポールプレートを収容するための貫通孔が開設されている。
【００１２】
本発明が提供するロングストローク型スピーカに係る１つの好ましい実施形態において、前記磁気回路システムは前記第２の音響キャビティ内に設けられ、前記磁気回路システムは、前記第２の側壁に固定された磁性鋼と、前記磁性鋼に接続されたポールコアとを含み、前記第２の収容部は前記第１の側壁に設けられ、前記第２の振動システムは、前記第２の収容部内に収容された第２の振動板と、前記第２の振動板に接続されたボイスコイルとを含む。
【００１３】
本発明が提供するロングストローク型スピーカに係る１つの好ましい実施形態において、前記第２の側壁は、少なくとも一部が導磁材料からなり、前記磁性鋼は、前記導磁材料からなる前記第２の側壁に接続されている。
【００１４】
本発明が提供するロングストローク型スピーカに係る１つの好ましい実施形態において、前記磁気回路システムは、前記第１の音響キャビティ内に設けられた第１の磁気回路システムと、前記第２の音響キャビティ内に設けられた第２の磁気回路システムとを含み、前記第１の磁気回路システムは、それぞれ前記第１の側壁と前記第２の側壁に接続された一対の磁性鋼モジュールを含み、前記第２の磁気回路システムは、前記第２の側壁に設けられた磁性鋼と、前記磁性鋼に接続されたポールコアとを含み、前記第１の振動システムは、第１の振動板と、一対の前記磁性鋼モジュールの間に設けられたコイルと、前記第１の振動板及び前記コイルを支持するためのホルダとを含み、前記第２の振動システムは、前記第２の収容部内に収容された第２の振動板と、前記第２の振動板に接続されたボイスコイルとを含む。
【発明の効果】
【００１５】
従来技術に比べ、本発明が提供するロングストローク型スピーカは、第１の音響キャビティの第１の振動システムが振動することで発音するとき、第２の音響キャビティの第２の振動システム内における空気の体積が変化するため、第２の振動システムを振動させるように駆動し、第２の音響キャビティが発音するようにする。即ち、１つの磁気回路システムで、第１の音響キャビティ及び第２の音響キャビティの双方向での発音を同時に実現することができ、別途にもう１つの通常のスピーカを追加する必要がなく、空間を大幅に節約し、コストを低減することができる。
【図面の簡単な説明】
【００１６】
【図１】本発明が提供するロングストローク型スピーカに係る１つの実施形態の分解斜視図である。
【図２】図１に示すロングストローク型スピーカの斜視図である。
【図３】図２に示すロングストローク型スピーカのＡ−Ａ線断面図である。
【図４】本発明が提供するロングストローク型スピーカに係るもう１つの実施形態の断面図である。
【図５】本発明が提供するロングストローク型スピーカに係るさらにもう１つの実施形態を示す断面図である。
【発明を実施するための形態】
【００１７】
以下、本発明に係る実施形態の図面を参照しながら、本発明の実施形態の１つを明確、完全に説明する。当然ながら、説明される実施形態は、本発明の一部の実施形態に過ぎず、すべての実施形態ではない。本発明の実施形態に基づき、当業者が創造的労力を要しない限り、得たすべての他の実施形態は、いずれも本発明の保護範囲に含まれる。
【００１８】
図１〜図３を参照すると、図１は本発明が提供するロングストローク型スピーカに係る１つの実施形態の分解図であり、図２は図１に示すロングストローク型スピーカの斜視図であり、図３は図２に示すロングストローク型スピーカのＡ−Ａ線における断面図である。ロングストローク型スピーカ１は、収容空間１１０を有するケーシング１１と、このケーシング１１に接続された第１の振動システム１２と、このケーシング１１に接続された第２の振動システム１３と、発音リング１９とを含む。収容空間１１０は、互いに連通する第１の音響キャビティ１１４及び第２の音響キャビティ１１５を含む。第１の振動システム１２は、第１の振動方向Ｘを有し、第２の振動システム１３は第２の振動方向Ｙを有する。そして、第１の振動方向Ｘは、第２の振動方向Ｙと交差する。第１の音響キャビティ１１４と第２の音響キャビティ１１５のうちの少なくとも１つには磁気回路システム１４が内蔵されている。
【００１９】
ケーシング１１は、第１の側壁１１１と、この第１の側壁１１１に対向して設置された第２の側壁１１２と、第１の側壁１１１及び第２の側壁１１２に接続された複数の第３の側壁１１３とを有し、第１の側壁１１１、第２の側壁１１２及び前記第３の側壁１１３は、共に取り囲んで収容空間１１０を形成する。前記第３の側壁１１３に、前記第１の振動システム１２を収容するための第１の収容部１２１が開設され、前記第１の側壁１１１又は前記第２の側壁１１２に、前記第２の振動システム１３を収容するための第２の収容部１３１が設けられている。
【００２０】
本実施形態において、第３の側壁１１３は、第１の側壁１１１及び第２の側壁１１２に垂直に接続されている。第１の振動方向Ｘは、第２の振動方向Ｙと垂直に交差する。
【００２１】
さらに、磁気回路システム１４は、第１の音響キャビティ１１４内に設けられ、磁気回路システム１４は、それぞれ第１の側壁１１１と第２の側壁１１２に接続された一対の磁性鋼モジュール１４１を含む。
【００２２】
第１の振動システム１２は、第１の振動板１２２と、一対の前記磁性鋼モジュール１４１の間に設けられたコイル１２３と、第１の振動板１２２及びコイル１２３を支持するためのホルダ１２４とを含む。
【００２３】
ホルダ１２４は、第１の収容部１２１内に収容されているとともに、第３の側壁１１３に接続された第１の支持部１２４１と、第１の支持部１２４１から第１の振動方向Ｘに沿って延伸する第２の支持部１２４２と、第２の支持部１２４２に接続された仕切り部１２４３とを含む。第１の振動板１２２は、第１の支持部１２４１に接続される。コイル１２３は第２の支持部１２４２に設けられる。仕切り部１２４３の両端は、それぞれ第１の側壁１１１と第２の側壁１１２に接続されており、これにより、収容空間１１０を、互いに連通する第１の音響キャビティ１１４と第２の音響キャビティ１１５に仕切る。
【００２４】
磁性鋼モジュール１４１は、ポールプレート１４１１と、ポールプレート１４１１に接続された磁性鋼１４１２とを含む。第１の側壁１１１及び第２の側壁１１２に、ポールプレート１４１１を収容するための貫通孔１４１３が開設されている。
【００２５】
磁性鋼１４１２は、第１の磁性体部１４１４と、第２の磁性体部１４１５とを含む。第１の磁性体部１４１４と第２の磁性体部１４１５は、いずれも、メイン磁性鋼と、このメイン磁性鋼の間に挟むように設けられたサブ磁性鋼とを含む。具体的には、第１の磁性体部１４１４は、二つの第１のメイン磁性鋼１４１４１と、１つの第１のサブ磁性鋼１４１４２とを含む。第１のサブ磁性鋼１４１４２は、二つの第１のメイン磁性鋼１４１４１の間に挟むように設けられる。第２の磁性体部１４１５は、二つの第２のメイン磁性鋼１４１５１と１つの第２のサブ磁性鋼１４１５２とを含む。第２のサブ磁性鋼１４１５２は、二つの第２のメイン磁性鋼１４１５１の間に挟むように設けられている。
【００２６】
第２の振動システム１３は、第２の振動板１３２と、中空のカバー１３３とを含む。第２の振動板１３２と中空のカバー１３３は、第２の収容部１３１に並んで設けられている。
【００２７】
第１の振動板１２２と第２の振動板１３２は、いずれも、皺部と平坦部（図示せず）とを含む。この皺部は、平坦部において、リング状に設けられる。皺部は、より大きい振幅に対応することができる。さらに、第１の振動板１２２に貼り付けられた第１のドーム１６１と、第２の振動板１３２に貼り付けられた第２のドーム１６２も含まれている。
【００２８】
発音リング１９は、第１の振動板１２２を取り囲んで設けられ、第１の振動板１２２の発音キャビティを形成し、これにより、ロングストローク型スピーカ１がより優れた発音効果を有するようにする。
【００２９】
図４を参照すると、この図４は、本発明が提供するロングストローク型スピーカに係るもう１つの実施形態の断面図であり、本実施形態において、磁気回路システム２４は第２の音響キャビティ２１５内に設けられている。
【００３０】
磁気回路システム２４は、第２の側壁２１２に固定された磁性鋼２４１と、磁性鋼２４１に接続されたポールコア２４２とを含む。
【００３１】
第２の収容部２３１は、第１の側壁２１１に設けられる。第２の振動システム２５は、第２の収容部２３１内に収容された第２の振動板２５１と、第２の振動板２５１に接続されたボイスコイル２５２とを含む。
【００３２】
第２の側壁２１２は、少なくとも一部が導磁材料からなる。磁性鋼２４１は、導磁材料からなる第２の側壁２１２に接続されている。
【００３３】
図５を参照すると、この図５は、本発明が提供するロングストローク型スピーカに係るさらにもう１つの実施形態の断面図であり、磁気回路システム３４は、第１の音響キャビティ３１４内に設けられた第１の磁気回路システム３４１と、第２の音響キャビティ３１５内に設けられた第２の磁気回路システム３４２とを含む。
【００３４】
第１の磁気回路システム３４１は、それぞれ第１の側壁３１１と第２の側壁３１２に接続された一対の磁性鋼モジュール３４１１を含む。第２の磁気回路システム３４２は、第２の側壁３１２に設けられた磁性鋼３４２１と、磁性鋼３４２１に接続されたポールコア３４２２とを含む。第１の振動システム３２は、第１の振動板３２１と、一対の磁性鋼モジュール３４１１の間に設けられたコイル３２２と、第１の振動板３２１及びコイル３２２を支持するためのホルダ３２３とを含む。第２の振動システム３３は、第２の収容部内に収容された第２の振動板３３１と、第２の振動板３３１に接続されたボイスコイル３３２とを含む。
【００３５】
本発明が提供するロングストローク型スピーカは、第１の音響キャビティの第１の振動システムが振動することで発音するとき、第２の音響キャビティの第２の振動システム内における空気の体積が変化するため、第２の振動システムを振動させるように駆動し、第２の音響キャビティが発音するように実現する。即ち、１つの磁気回路システムで、第１の音響キャビティ及び第２の音響キャビティの双方向での発音を同時に実現することができ、別途にもう１つの通常のスピーカを追加する必要がなく、空間を大幅に節約し、コストを低減することができる。
【００３６】
上述したのは、本発明の実施形態に過ぎず、本発明の特許請求の範囲を限定するものではない。本発明の明細書及び図面に基づき得た等価構成又は等価フロー変換、或いは他の関連技術分野への直接又は間接の適用は、すべて同じ理由により本発明の特許請求の範囲に含まれる。
【符号の説明】
【００３７】
１        ロングストローク型スピーカ
１１        ケーシング
１１０      収容空間
１１１      第１の側壁
１１２      第２の側壁
１１３      第３の側壁
１１４      第１の音響キャビティ
１１５      第２の音響キャビティ
１２        第１の振動システム
１２１      第１の収容部
１２２      第１の振動板
１２３      コイル
１２４      ホルダ
１２４１      第１の支持部
１２４２      第２の支持部
１２４３      仕切り部
１３        第２の振動システム
１３１      第２の収容部
１３２      第２の振動板
１３３      カバー
１４        磁気回路システム
１４１      磁性鋼モジュール
１４１１      ポールプレート
１４１２      磁性鋼
１４１３      貫通孔
１４１４      第１の磁性体部
１４１５      第２の磁性体部
１４１４１    第１のメイン磁性鋼
１４１４２    第１のサブ磁性鋼
１４１５１    第２のメイン磁性鋼
１４１５２    第２のサブ磁性鋼
１６１      第１のドーム
１６２      第２のドーム
１９        発音リング
２１１      第１の側壁
２１２      第２の側壁
２１５      第２の音響キャビティ
２３１      第２の収容部
２４      磁気回路システム
２４１      磁性鋼
２４２      ポールコア
２５      第２の振動システム
２５１      第２の振動板
２５２      ボイスコイル
３１１      第１の側壁
３１２      第２の側壁
３１４      第１の音響キャビティ
３１５      第２の音響キャビティ
３２      第１の振動システム
３２１      第１の振動板
３２２      コイル
３２３      ホルダ
３３      第２の振動システム
３３１      第２の振動板
３３２      ボイスコイル
３４        磁気回路システム
３４１        第１の磁気回路システム
３４２        第２の磁気回路システム
３４１１      磁性鋼モジュール
３４２１      磁性鋼
３４２２      ポールコア
【図１】
0006313367.tif 000002
【図２】
0006313367.tif 000003
【図３】
0006313367.tif 000004
【図４】
0006313367.tif 000005
【図５】
0006313367.tif 000006